(57)【要約】      （修正有）【課題】留置針やチューブなどの透析器具や注射器具を皮膚に容易に固定し、皮膚への負担を最小限にし、長時間に亘り安全かつ確実に固定できる透析器具又は注射器具固定用テープを提供する。【解決手段】基材３の一面に粘着剤層を形成したテープ片２を用意する。このテープ片２の長手方向の一部に上記粘着剤層を皮膚表面に貼付してその基材３の上面に留置針１２やチューブなどの透析器具や注射器具を載置する本体部５を設ける。この本体部５からテープ片の長手方向に沿って分岐して延び、皮膚表面に交差状に貼付して上記透析器具又は注射器具を固定する複数の分岐片６を形成する。この透析器具又は注射器具固定用テープ１において、上記分岐片６は上記本体部５の長手方向の一方向に延びるように形成したり、又は両方向に伸びるように形成する。【選択図】図４
0003186312.tif 000002
【実用新案登録請求の範囲】
【請求項１】
基材の一面に粘着剤層を形成したテープ片を有し、該テープ片の長手方向の一部に皮膚表面に貼付してその基材上面に透析器具又は注射器具を載置する本体部を設け、この本体部の長手方向に沿って延び、上記透析器具又は注射器具を両側から交差するようにして皮膚表面に貼付して固定する分岐片を形成した透析器具又は注射器具固定用テープ。
【請求項２】
上記基材が、可撓性と伸縮性を有する請求項１に記載の透析器具又は注射器具固定用テープ。
【請求項３】
上記分岐片は、上記本体部の長手方向の一方向又は両方向に延びる請求項１または２に記載の透析器具又は注射器具固定用テープ。
【請求項４】
上記固定用テープの分岐片は、本体部の長手方向の長さに対して１／３〜５倍の長さを有する請求項１〜３のいずれかに記載の透析器具又は注射器具固定用テープ。
【請求項５】
上記固定用テープの本体部及び分岐片の粘着剤層は、各々別個の剥離紙によって覆われている請求項１〜４のいずれかに記載の透析器具又は注射器具固定用テープ。
【請求項６】
上記固定用テープの本体部及びこれに連続する分岐片の一部の粘着剤層は１枚の剥離紙によって覆われ、残余の分岐片の粘着剤層は各々別個の剥離紙によって覆われている請求項１〜４のいずれかに記載の透析器具又は注射器具固定用テープ。
【請求項７】
血液透析に用いることを特徴とする請求項１〜６のいずれかに記載の透析器具固定用テープ。
【考案の詳細な説明】
【技術分野】
【０００１】
本考案は、血液透析に用いる透析器具や点滴などを行う際の注射器具を固定するための固定用テープに関するものである。
【背景技術】
【０００２】
透析や点滴を行う場合には、留置針を皮膚に挿入後、長時間に渡って留置針及びチューブなどの透析器具又は注射器具を皮膚に固定しておく必要がある。特に、腎臓病などの血液透析療法を要する患者では、一般的に１日に４時間、週に３回程度の透析治療を必要としている。血液透析において、穿刺した留置針と共に、留置針と透析機器を連結するチュ−ブも、皮膚表面へ粘着テ−プによって固定しておくことが、その安全確保のために必要不可欠である。
【０００３】
上記透析器具又は注射器具を生体に固定する方法として、粘着テープを留置針やチューブの上から皮膚表面に貼付する方法が一般的であり、いわゆるオメガ固定方法やアルファ固定方法が知られている。
オメガ固定方法は、図１０に示すように留置針やチューブ３０の表面に沿ってΩ状を描くように固定用テープ３１を貼り付けるようにするものであるが、テープによる固定方向が１方向であり、強固な固定には不十分であるという問題があった。
【０００４】
また、アルファ固定方法は、図１１に示すように留置針やチューブ３０の表面に沿って固定用テープ３２を巻き付けて貼り付けるようにするものであり、上記オメガ固定方法よりも確実に固定できるものの、直線状のテープを注射器具に１回転以上回旋して固定する必要があり、回旋する際に注射器具が浮く危険性があるため、一方の手で透析器具又は注射器具を押さえながらテープを貼るという面倒な作業が必要であって、貼付に手間が掛かるという問題があった。
【考案の概要】
【考案が解決しようとする課題】
【０００５】
本考案は、留置針やチューブなどの透析器具や注射器具を皮膚に固定する際に、固定作業が容易であって、皮膚に与える負担も最小限に留めつつ、長時間に亘り安全かつ確実に固定することができるような改良された透析器具や注射器具固定用テープを提供しようとするものである。上記透析器具は、具体的には血液透析に用いる留置針と血液回路用チューブなどの医療器具を指し、注射器具は、留置針と点滴に用いるチューブなどの医療器具を指す。
【課題を解決するための手段】
【０００６】
本考案は、基材の一面に粘着剤層を形成したテープ片を用意し、このテープ片の長手方向の一部に上記粘着剤層を皮膚表面に貼付してその基材上面に留置針やチューブなどの透析器具や注射器具を載置する本体部を設ける。この本体部からその長手方向に沿って延び、上記透析器具や注射器具を両側から交差するようにして皮膚表面に貼付して固定する分岐片を形成して透析器具又は注射器具固定用テープとするものである。
また、上記分岐片は、上記本体部の長手方向の一方向又は両方向に延びるように形成することができる。
【考案の効果】
【０００７】
本考案によれば、本体部の基材の上面に透析器具又は注射器具を載せ、分岐片を用いることによって固定用テープを透析器具や注射器具の周りに回旋させることなく、両側から交差するようにして貼り付けて固定をすることが出来るため、容易に使用することができ、皮膚へ与える負担を最小限に留めながら、透析器具又は注射器具を長時間に亘って安全且つ確実に固定することができる。
また、使用後において、貼付した固定用テープの取り外しも容易に行うことができる。
【図面の簡単な説明】
【０００８】
【図１】本考案の実施例を示す斜視図である（分岐片の一部を剥離紙から剥離した状態を示している）。
【図２】図１に示す透析器具又は注射器具固定用テープの側面図である。
【図３】図１に示すものを透析器具のチューブの固定に使用する場合の説明図である。
【図４】図１に示すものを透析器具の留置針部分の固定に使用した場合の説明図である。
【図５】本考案の他の実施例を示す平面図である。
【図６】本考案の更に他の実施例を示す平面図である。
【図７】本考案の他の実例を示す平面図である。
【図８】本考案の更に他の実例を示す平面図である。
【図９】図８に示すものを透析器具のチューブの固定に使用した場合の説明図である。
【図１０】透析器具のチューブの固定する場合の従来例を示す斜視図である。
【図１１】透析器具のチューブの固定する場合の他の従来例を示す斜視図である。
【考案を実施するための形態】
【０００９】
透析器具又は注射器具固定用テープ１を形成するテープ片２の基材３は、透析器具や注射器具及び皮膚表面に沿うことが出来るような適度の可撓性と伸縮性を持っているものが好ましく、織布、プラスチックフィルム、不織布などを用いることができるが、更に通気性があるものが好ましく、例えば、ポリオレフィン不織布は好適に使用することができるものの一つである。また、基材の表面をエンボス加工処理したり、基材に穿孔加工処理を施すようにしても良い。
【００１０】
この基材３の一面には、粘着剤層４を形成しており、この粘着剤層を形成する粘着剤としては、ゴム系、アクリル系、ウレタン系、シリコーン系、ビニルエーテル系その他の粘着剤を用いることができる。この場合、透析器具や注射器具を固定するのに十分な粘着力を示し、皮膚に対する刺激性が少なく、かつ汎用的に使用できるものとしては、アクリル系の粘着剤を用いることが好ましい。
この粘着剤層４は、通常、基材３の片面の全面に設けるようにするが、場合によってパターンコートなどにより部分的に設けることも出来る。部分的に設けた場合には、通気性や透湿性を一層向上させることができて、発汗によるムレやかぶれ等を予防することに有効なことがある。
【００１１】
上記テープ片２の大きさは、使用部位に応じて種々の大きさのものとすることができるが、通常、長さは約５〜２０ｃｍ程度、好ましくは約６〜１５ｃｍである。幅は、約１〜７ｃｍ程度、好ましくは２〜４ｃｍ程度の細長いものにとするとよい。
このテープ片２の長手方向の一部に本体部５を設け、この本体部５から長手方向に延びる分岐片６を形成している。この本体部５は、皮膚表面に貼付して、その基材２の上面に透析器具や注射器具を載置させる部位であり、分岐片６は、透析器具や注射器具を両側から交差するようにして皮膚表面に貼付し、透析器具や注射器具を固定するようにするものである。
【００１２】
この分岐片６の長さは、本体部５の長さとも関係し、本体部５の長さの約１／３〜５倍程度、好ましくは約１／２〜４倍程度、更に好ましくは約２〜２．８倍程度にするとよい。分岐片６，６は、通常同じ幅にすることが多いが、異なる幅にしてもよい。
図１、２に示すものでは、テープ片２に設けた本体部５から長手方向の一方向に延びる同じ幅の分岐片６，６を設けており、分岐片６の長さを本体部５の長さの約２．５倍程度に形成している。
【００１３】
この透析器具又は注射器具固定用テープ１の粘着剤層４は、剥離紙７で覆うようにするとよい。この剥離紙７は本体部５の粘着剤層を覆う剥離紙と、各分岐片６を覆う剥離紙に分割して各別に覆うようにすることができる。
また、図１、２に示すように、本体部５及びこれに連続する分岐片６の一部を覆う剥離紙７１と、残余の分岐片６を各別に覆う剥離紙７２，７２に分割して覆うようにすることもできる。そして、上記剥離紙７１、剥離紙７２，７２は、手で簡単に切り離せる程度に部分的に連結してもよく、そうすれば貼付時などにおける使用、取り扱いが一層容易になることがある。
【００１４】
図３を参照し、図１、２に示すものによって透析器具や注射器具のチューブ１１を固定する場合の一例について説明すると、固定用テープ１の本体部５の粘着剤層４を覆っている剥離紙７１を剥がし、チューブ１１の下方に差し入れて皮膚表面に本体部５を貼付ける（図３−Ａ）。
図において左右の分岐片６，６を斜め下方に折返し、一方の分岐片６（図において右側）の剥離紙７２を剥がし（図３−Ｂ）、分岐片６の粘着剤層をチューブ１１の表面に沿わせながら交差させて反対側（図において左側）の皮膚表面に貼付する（図３−Ｃ）。
【００１５】
次に他方の分岐片６（図において左側）の剥離紙７２を剥がし、同様に分岐片６の粘着剤層を先に貼付した分岐片６の上からチューブ１１の表面に沿わせながら交差させて反対側（図において右側）の皮膚表面に貼付し、テープがＹ字（時計の１０時１０分）を示すようにしている（図３−Ｄ）。
こうした簡単な作業によって、透析器具や注射器具のチューブ１１は確実に皮膚表面の所望の位置に固定されるようになる。
【００１６】
図４に示すものは、血液透析用の透析器具のチューブ１１の先に取り付けてある留置針１２を、図１、２に示す固定用テープによって固定した状態を示したものであり、留置針１２のカニューラ１３の先端部は血管内に挿通されている。図４に示す留置針１２は、カニューラ１３、連結部１４、アダプター１５、チューブ１６、１７を含み、この留置針１２に上記したのと同様にして分岐片６を交差状態にして貼付して固定する。
【００１７】
図５に示すものは、透析器具又は注射器具固定用テープ１において、本体部５から延びる分岐片６の基部に孔２０を形成したものであり、図６のものは基部をＶ字部２１に形成したものであり、透析器具や注射器具の種類によって分岐片６のよる固定を一層確実にすることができる場合がある。
【００１８】
図７に示すものは、図５と同様に本体部５から延びる分岐片６の基部に孔２２を設けると共に、分岐片６の間に間隔を設けるようにしたものである。このものは分岐片６の間が離れているので、各分岐片６の貼り付けを一層容易に行うことができるようになる場合がある。
上記した剥離紙７は、本体部５の粘着剤層を覆う剥離紙と、各分岐片６の粘着剤層を覆う剥離紙に分割したものにすることもできる。
【００１９】
図８に示すものは、テープ片２に設けた本体部５の長手方向の両方向に延びるように分岐片６を形成したものである。
このものは、図９に示すように、上記した本体部５を皮膚表面に貼付してから、上記一方向の分岐片６を上記と同様にして貼付し、次に他方向の分岐片６も同様に貼付することによって、更に確実に固定することができるようになる。
【符号の説明】
【００２０】
１    透析器具又は注射器具固定用テープ
２    テープ片
３    基材
４    粘着剤層
５    本体部
６    分岐片
７    剥離紙
１１  透析器具のチューブ
１２  留置針
２０，２２  孔
２１  Ｖ字部
【図１】
0003186312.tif 000003
【図２】
0003186312.tif 000004
【図３】
0003186312.tif 000005
【図４】
0003186312.tif 000006
【図５】
0003186312.tif 000007
【図６】
0003186312.tif 000008
【図７】
0003186312.tif 000009
【図８】
0003186312.tif 000010
【図９】
0003186312.tif 000011
【図１０】
0003186312.tif 000012
【図１１】
0003186312.tif 000013
【手続補正書】
【提出日】平成25年7月26日(2013.7.26)
【手続補正１】
【補正対象書類名】実用新案登録請求の範囲
【補正対象項目名】請求項１
【補正方法】変更
【補正の内容】
【請求項１】
基材の一面に粘着剤層を形成したテープ片を有し、該テープ片の長手方向の一部に皮膚表面に貼付してその基材上面に透析器具又は注射器具を載置する本体部を設け、この本体部からテープ片の長手方向に沿って分岐して延び、皮膚表面に交差状に貼付して上記透析器具又は注射器具を固定する複数の分岐片を形成した透析器具又は注射器具固定用テープ。